(57)【要約】【課題】本発明は、金魚等の水生生物を飼育する観賞用の水槽において水面の気泡及び水流の拡散を防止することができる気泡拡散防止体を提供することを目的とするものである。【解決手段】気泡拡散防止体１は、中心軸Ｏの周囲を囲むように形成された本体部２と、本体部２の中心軸Ｏ方向の一方の端部に開口した排出口部３と、本体部２の中心軸Ｏ方向の他方の端部に開口した流入口部４とを備え、排出口部３は、水面に浮いた状態において水面の所定の範囲を囲むように露出する形状に形成されており、流入口部４は、排出口部３よりも開口面積が大きくなるように設定されており、本体部２の内周面は、少なくとも排出口部３の周囲が排出口部３に向かって傾斜するように形成されて流入口部４に流入した気泡を排出口部３に誘導するように設定されている。【選択図】図１
2015047143.tif 000002
【特許請求の範囲】
【請求項１】
発生した気泡が上昇して水面に到達する水槽内に配置されて水面における気泡の拡散を防止する気泡拡散防止体であって、中心軸の周囲を囲むように形成された本体部と、前記本体部の中心軸方向の一方の端部に開口した排出口部と、前記本体部の中心軸方向の他方の端部に開口した流入口部とを備え、前記排出口部は、水面に浮いた状態において水面の所定の範囲を囲むように露出する形状に形成されており、前記流入口部は、前記排出口部よりも開口面積が大きくなるように設定されており、前記本体部の内周面は、少なくとも前記排出口部の周囲が前記排出口部に向かって傾斜するように形成されて前記流入口部に流入した気泡を前記排出口部に誘導する気泡拡散防止体。
【請求項２】
前記本体部は、外側に膨出するように湾曲形成されており、前記排出口部及び前記流入口部は、円形状に開口している請求項１に記載の気泡拡散防止体。
【請求項３】
前記流入口部には、回転羽根が取り付けられている請求項１又は２に記載の気泡拡散防止体。
【発明の詳細な説明】
【技術分野】
【０００１】
本発明は、金魚等の水生生物を飼育する水槽に用いられる気泡拡散防止体に関する。
【背景技術】
【０００２】
従来より、金魚等の水生生物を観賞用に水槽内で飼育することが行われている。こうした水槽では、水槽内の水に含まれる溶存酸素量が低下すると、水生生物の生存が脅かされるため、エアポンプ等の装置を用いて水槽内に常時空気を送り込むようにしている。送り込まれた空気は、水中で気泡を生成するようになり、生成された気泡は、そのまま水中を上昇して水面に到達すると、弾けて消滅する。気泡が水中を上昇する際には、上昇する気泡の流れに追随して水流が発生するようになり、水流は、気泡が生成する空気の供給口から水面にかけて上昇した後水面に沿って放射状に拡がるように流れていくようになる。
【０００３】
このように発生した気泡や水流をコントロールして水槽内の環境を改善することが提案されており、例えば、特許文献１では、気泡成長分離部の周囲に遮蔽板を設けて気泡の拡散を防止するようにしており、水中に溶存する空気が過剰とならないようにした点が記載されている。また、特許文献２では、水中散気装置の周囲に円筒状仕切体を配置し、円筒状仕切体に形成されたスリット孔を通して内部との間に水を対流循環させるようにした点が記載されている。また、特許文献３では、周方向に複数の孔が穿けられた外縁を備えた皿状体の底面の中心に中央孔が穿けられており、皿状体の中央孔が水中に設けられた気泡放出管の上方に位置するよう配置して、気泡放出管から放出される気泡に追従して上昇する水流が中央孔を通過して外縁の孔から抜けることで、水流に同伴された汚物が皿状体の底面に沈降分離されて溜るようになる点が記載されている。
【先行技術文献】
【特許文献】
【０００４】
【特許文献１】特開平６−１０６１５８号公報
【特許文献２】特開平１０−２２９７８１号公報
【特許文献３】特許第３０３４２００号公報
【発明の概要】
【発明が解決しようとする課題】
【０００５】
金魚等の水生生物を観賞用に飼育する水槽では、観賞しやすいように水槽を透明な素材により構成した容器を用い、餌を与えるために容器の上方は開口しており、開閉可能な蓋が取り付けられているのが一般的である。そのため、通常は水槽の側壁を通して金魚等の遊泳の様子を観賞するとともに、餌を与える際には、水槽の上方から金魚等の食餌の様子を観賞することができる。しかしながら、上述したように、水中から気泡が連続して上昇し、水面を気泡が拡散している状態では、拡散する気泡や水流に影響されて水中の金魚等が明確に視認できなくなり、金魚等を観賞することが困難となる。また、水面を拡散する気泡が水槽の側壁に衝突して弾けると、水槽の側壁に飛散して付着した水滴の跡が残留するようになり、水槽内の汚れが目立つようになって頻繁に清掃が必要となる。
【０００６】
特許文献１及び２では、上昇する気泡の周囲に遮蔽板や仕切体といった部材を設けて気泡の拡散を抑止するようにしているが、観賞用の水槽にこうした部材を配置することは、観賞の邪魔となって好ましいものではない。特に、家庭用の小型の水槽では、こうした部材を設置するスペースを確保することは難しくなる。特許文献３では、皿状体で構成されているため、設置スペースを考慮する必要はないが、皿状体の上面を水が流れるようになるため、気泡が皿状体を通過して水面に拡散するようになり、上述した課題を解決することは難しい。
【０００７】
そこで、本発明は、金魚等の水生生物を飼育する観賞用の水槽において水面の気泡及び水流の拡散を防止することができる気泡拡散防止体を提供することを目的とするものである。
【課題を解決するための手段】
【０００８】
本発明に係る気泡拡散防止体は、発生した気泡が上昇して水面に到達する水槽内に配置されて水面における気泡の拡散を防止する気泡拡散防止体であって、中心軸の周囲を囲むように形成された本体部と、前記本体部の中心軸方向の一方の端部に開口した排出口部と、前記本体部の中心軸方向の他方の端部に開口した流入口部とを備え、前記排出口部は、水面に浮いた状態において水面の所定の範囲を囲むように露出する形状に形成されており、前記流入口部は、前記排出口部よりも開口面積が大きくなるように設定されており、前記本体部の内周面は、少なくとも前記排出口部の周囲が前記排出口部に向かって傾斜するように形成されて前記流入口部に流入した気泡を前記排出口部に誘導する。さらに、前記本体部は、外側に膨出するように湾曲形成されており、前記排出口部及び前記流入口部は、円形状に開口している。
【発明の効果】
【０００９】
本発明は、上記のような構成を有することで、金魚等の水生生物を飼育する観賞用の水槽において水面の気泡及び水流の拡散を防止することができる。
【図面の簡単な説明】
【００１０】
【図１】本発明に係る実施形態である気泡拡散防止体の正面図及び平面図である。
【図２】図１のＡ−Ａ断面図である。
【図３】気泡拡散防止体を水槽内に浮かべた状態に関する説明図である。
【図４】気泡拡散防止体の変形例に関する断面図及び底面図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態である気泡拡散防止体１の正面図（図１（ａ））及び平面図（図１（ｂ））である。気泡拡散防止体１は、中心軸Ｏの周囲に外側に向かって膨出するように湾曲形成された本体部２と、本体部２の中心軸Ｏ方向の一方の端部に開口した排出口部３と、本体部２の中心軸Ｏ方向の他方の端部に開口した流入口部４とを備えている。排出口部３及び流入口部４は、中心軸Ｏを中心とする円形に形成されており、流入口部４は、排出口部３よりも大径となるように設定されている。そのため、本体部２の内周面は、排出口部３に向かって傾斜するように形成されている。
【００１３】
図２は、図１のＡ−Ａ断面図である。本体部２は、合成樹脂材料を用いて成形されており、後述するように、排出口部３が水面から露出した状態で安定して浮くように比重が１より小さくなるように構成されている。この例では、本体部２は、合成樹脂材料を薄く湾曲形成して成形されており、比重が１よりも小さいポリエチレン、ポリプロピレン、エチレン−酢酸ビニル共重合樹脂（ＥＶＡ）等の合成樹脂材料を用いて成形されている。
【００１４】
なお、本体部２の内部に発泡等により空隙を形成することで、比重を１よりも小さくすることができ、この場合には比重が１よりも大きい合成樹脂材料を使用することが可能となる。また、本体部２が安定して浮いた状態とするために、流入口部４の周囲に比重の大きい材料を取り付けておくこともでき、比重の異なる材料を組み合せて本体部２の浮力を調整することも可能である。また、本体部２の外周面には、模様等をプリントしたり、様々な装飾物を取り付けることで、気泡拡散防止体１を水中に浮遊する装飾体と兼ねることもできる。本体部２の内周面は、少なくとも排出口部３の周囲が排出口部３に向かって傾斜した形状に形成されており、流入口部４から流入した気泡が本体部２内に滞留することなくスムーズに排出口部３に誘導されるように設定されている。
【００１５】
排出口部３は、流入口部４よりも小径に設定されているが、流入口部４よりも開口面積が小さくなるように設定されていればよく、矩形や三角形のように円形以外の形状に形成することもできる。排出口部３の開口面積を流入口部４よりも小さくすることで、流入口部４に流入した気泡が排出口部３内に集まるようになり、気泡が互いに接触して消滅しやすくなる。また、互いに接触した気泡が大きくなることで、水面から露出した排出口部３に接触して弾けやすくなり、細かい気泡の状態で拡散することも防止できる。また、排出口部３は、気泡拡散防止体１が浮いた状態で水面の所定の範囲を囲むように露出する形状にすることが好ましく、このように水面に露出することで、排出口部３に到達した気泡を拡散させることなくその内側で消滅させることができる。排出口部３の水面から露出した形状は、気泡が拡散せずに確実に消滅可能な形状であればよく、水面とほぼ同じかわずかに露出した形状でもかまわない。また、排出口部３から水が流出して水流が発生しないようにすることで、気泡拡散防止体１から外れた気泡が流れていかないようにすることができる。
【００１６】
流入口部４についても、排出口部３と同様に、円形以外の形状に形成することが可能で、水槽内の設置スペースや上昇する気泡の範囲等を考慮して流入口部４の開口面積及び形状を適宜設定することができる。
【００１７】
図３は、気泡拡散防止体１を水槽内に浮かべた状態に関する説明図である。流入口部４に流入した気泡Ｂ１のうち、中心軸Ｏの近傍を上昇する気泡は直接排出口部３に到達して排出口部３内で弾けて消滅し、排出口部３の周囲に上昇する気泡は本体部２の内周面に衝突して排出口部３に誘導されるようになり、流入口部４に流入した気泡は、すべて排出口部３に到達して消滅するようになる。その際に、排出口部３は、水面Ｗよりわずかに露出した状態となっているため、排出口部３から気泡が流出して水面に拡散することはない。
【００１８】
本体部２の内周面が排出口部３に向かって傾斜するように形成されているため、流入口部４に流入した気泡は、排出口部３に集められるように誘導される。その際に、上昇する気泡に伴って生じた上昇する水流Ｆが本体部２内に導入されてその内周面に沿って流れるようになる。そのため、気泡拡散防止体１は、本体部２の排出口部３に向かって傾斜した内周面に加わる水流Ｆの水圧により気泡が上昇する位置からずれないように保持される。
【００１９】
水流Ｆは、気泡Ｂ１と同様に排出口部３から流出して拡散するように流れることはなく、流入口部４から再び水中に流出するようになる。そのため、水面に沿うように流れる水流が生じることはなくなり、流入口部４から外れて上昇する気泡Ｂ２についても、水面に到達した後水面上を流れることがなく、水面の到達位置で弾けて消滅するようになる。
【００２０】
したがって、拡散する気泡や水流の影響による水面の波打ち等の現象が生じなくなり、乱れのほとんどない水面を通して水中の金魚等を明確に視認することができる。そのため、水槽の上方から金魚等に餌を与えた場合に、食餌する金魚等を楽しむことができるようになって観賞効果を高めることが可能となる。また、気泡が拡散しないため、水槽の側壁に気泡が到達して弾けることがなくなり、水槽の側壁が飛散した水の跡で汚れることが防止でき、水槽の側壁を頻繁に清掃する必要がなくなる。
【００２１】
図４は、気泡拡散防止体１の変形例に関する断面図（図４（ａ））及び底面図（図４（ｂ））である。この例では、排出口部３に架設された支持バー３０に中心軸Ｏに沿って装飾物３１が立設されており、流入口部４には、回転羽根４０〜４２が放射状に架設されている。排出口部３には、外方に突出するように所定幅の側壁部が形成され、側壁部に複数の支持バー３０の一端が固定されて他端が中心位置で互いに固定されることで、支持バー３０が排出口部３内に架設されている。そして、支持バー３０が固定された中心位置に装飾物３１が中心軸方向に立設されている。装飾物３１として樹木やキャラクター等の模型を取り付けることで、本体部２とともに気泡拡散防止体１全体が小島を模した装飾体とすることができる。また、流入口部４に取り付けられた複数の回転羽根４０〜４２は、互いに一端を中心位置で固定するとともに中心位置から等角度ずつずらして放射状に配置されて他端が流入口部４に固定されている。回転羽根４０〜４２は、上昇する気泡の方向と傾斜する方向に取り付けられているため、回転羽根の面に上昇する気泡及び水流が衝突しながら流れるようになり、その際に回転羽根に生じる中心軸Ｏを中心とする回転力により気泡拡散防止体１が回転するようになる。このように、気泡拡散防止体１を動きのある装飾体として用いることもできる。
【符号の説明】
【００２２】
１・・・気泡拡散防止体、２・・・本体部、３・・・排出口部、４・・・流入口部
【図１】
2015047143.tif 000003
【図２】
2015047143.tif 000004
【図３】
2015047143.tif 000005
【図４】
2015047143.tif 000006